(57)【要約】【課題】本発明は、映像を再生する際に、意味内容を正しく理解できかつ短時間で再生表示し、また映像視聴者間のコミュニケーションを行い得るようにすることを目的としている。【解決手段】映像視聴システムにおいて、映像関連情報サーバが自己に登録している映像の中から映像再生端末に送信し、映像再生端末が当該送信されてきた映像の中から特定のシーンなどにコメントや関連情報をつけて前記の映像関連情報サーバに返送するようにし、複数の映像再生端末が当該コメントなどのつけられた映像を視聴できるようにした。【選択図】        図３
2004350092.tif 000002
【特許請求の範囲】
【請求項１】
通信回線を介して映像再生端末に映像を配信する映像配信サーバと、前記映像配信サーバから配信される映像に付随する情報を通信回線を介して映像再生端末に送信する映像関連情報サーバと、前記映像配信サーバ、及び前記映像関連情報サーバから配信される映像及び映像関連情報を受信する映像再生端末とがそれぞれ通信回線で接続された映像視聴システムにおいて、
前記映像関連情報サーバが、
前記映像再生端末の１つまたは複数のものから配信される映像関連情報を受信して記憶登録しておき、
前記映像再生端末の１つから配信される検索条件に対応して、当該検索条件に見合う前記映像関連情報を、前記記憶登録した中から検索して、当該映像再生端末に、検索結果を送信する
よう構成されると共に、
前記映像再生端末が、
前記映像配信サーバから配信される映像を受信して格納しておき、
格納されている映像の中の任意のシーンに対して、端末利用者によって入力された感想やコメント等のテキスト形式の情報、及び関連する映像中のシーンのタイムコードを含む映像関連情報を付与して当該付与された映像関連情報を格納するよう構成され、
当該格納された映像関連情報に対しての検索要求、あるいは、前記映像関連情報サーバに蓄えられている映像関連情報に対しての検索要求を通信回線を介して前記映像関連情報サーバに送信すると共に、前記映像関連情報サーバに格納される映像関連情報の中から検索要求に合わせて検索した映像関連情報を通信回線を介して受信し、
前記格納された映像関連情報を内容に応じて予め決められたレイアウトで表示するよう構成され、
当該表示された映像関連情報を指定し、指定された映像関連情報中のタイムコードを持つ格納されている映像に対して再生要求を出力し、当該出力された映像再生要求に基づき、要求された映像シーンから映像を頭だし再生する
ことを特徴とする映像視聴システム。
【請求項２】
通信回線を介して映像再生端末に映像を配信する映像配信サーバと、前記映像配信サーバから配信される映像に付随する情報を通信回線を介して映像再生端末に送信する映像関連情報サーバと、前記映像配信サーバ、及び前記映像関連情報サーバから配信される映像及び映像関連情報を受信する映像再生端末とがそれぞれ通信回線で接続された映像視聴システムに用いる映像再生端末において、
当該映像再生端末が、
前記映像配信サーバから配信される映像を受信する映像受信部と、
前記映像受信部で受信した映像を格納する映像格納部と、
前記映像格納部で格納される映像の中の任意のシーンに対して、端末利用者によって入力された感想やコメント等のテキスト形式の情報、及び関連する映像中のシーンのタイムコードを含む映像関連情報を付与することができる映像関連情報入力部と、
前記映像関連情報入力部で付与された映像関連情報を格納する映像関連情報格納部と、
前記映像関連情報格納部に格納された映像関連情報に対しての検索要求、あるいは、前記映像関連情報サーバに蓄えられている映像関連情報に対しての検索要求を通信回線を介して前記映像関連情報サーバに送信する映像関連情報送信部と、
前記映像関連情報サーバに格納される映像関連情報の中から検索要求に合わせて検索した映像関連情報を通信回線を介して受信する映像関連情報受信部と、
前記映像関連情報格納部に格納された映像関連情報を内容に応じて予め決められたレイアウトで表示する映像関連情報表示部と、
前記映像関連情報表示部で表示された映像関連情報を指定し、指定された映像関連情報中のタイムコードを持つ前記映像格納部に格納される映像に対して再生要求を出す映像再生要求部と、
前記映像再生要求部から出された映像再生要求に基づき、要求された映像シーンから映像を頭だし再生する映像再生部とを
具備する
ことを特徴とする映像再生端末。
【請求項３】
請求項２記載の映像再生端末において、前記映像関連情報表示部が、
映像関連情報に含まれるタイムコード情報と対応する映像中のフレーム画像、及びテキスト形式の情報を予め決められたレイアウトで一覧表示する
ことを特徴とする映像再生端末。
【請求項４】
請求項２記載の映像再生端末において、前記映像再生要求部が、
前記映像関連情報表示部で表示される複数の映像シーンに関する映像関連情報に含まれる各タイムコード情報と対応する映像中の各シーンを予め決められた方法で連続的に再生するような再生要求を前記映像格納部に対して出力する
ことを特徴とする映像再生端末。
【請求項５】
通信回線を介して映像再生端末に映像を配信する映像配信サーバと、前記映像配信サーバから配信される映像に付随する情報を通信回線を介して映像再生端末に送信する映像関連情報サーバと、前記映像配信サーバ、及び前記映像関連情報サーバから配信される映像及び映像関連情報を受信する映像再生端末とがそれぞれ通信回線で接続された映像視聴システムに用いる映像再生端末における処理方法に関し、
当該映像再生端末が、映像受信部と、映像格納部と、映像関連情報入力部と、映像関連情報格納部と、映像関連情報送信部と、映像関連情報受信部と、映像関連情報表示部と、映像再生要求部と、映像再生部とを具備しているものであって、
前記映像受信部の処理として前記映像配信サーバから配信される映像を受信する処理を実行し、
前記映像格納部の処理として受信した映像を格納する処理を実行し、
前記映像関連情報入力部の処理として、格納されている映像の中の任意のシーンに対して、端末利用者によって入力された感想やコメント等のテキスト形式の情報、及び関連する映像中のシーンのタイムコードを含む映像関連情報を付与する処理を実行し、
前記映像関連情報格納部の処理として前記付与された映像関連情報を格納する処理を実行し、
前記映像関連情報送信部の処理として前記格納された映像関連情報に対しての検索要求、あるいは、前記映像関連情報サーバに蓄えられている映像関連情報に対しての検索要求を通信回線を介して前記映像関連情報サーバに送信する処理を実行し、
前記映像関連情報受信部の処理として前記映像関連情報サーバに格納される映像関連情報の中から検索要求に合わせて検索した映像関連情報を通信回線を介して受信する処理を実行し、
前記映像関連情報表示部の処理として前記格納された映像関連情報を内容に応じて予め決められたレイアウトで表示する処理を実行し、
前記映像再生要求部の処理として前記表示された映像関連情報を指定し、指定された映像関連情報中のタイムコードを持つ格納されている映像に対して再生要求を出す処理を実行し、
前記映像再生部の処理として前記出された映像再生要求に基づき、要求された映像シーンから映像を頭だし再生する処理を実行する
ことを特徴とする映像再生端末における処理方法。
【請求項６】
通信回線を介して映像再生端末に映像を配信する映像配信サーバと、前記映像配信サーバから配信される映像に付随する情報を通信回線を介して映像再生端末に送信する映像関連情報サーバと、前記映像配信サーバ、及び前記映像関連情報サーバから配信される映像及び映像関連情報を受信する映像再生端末とがそれぞれ通信回線で接続された映像視聴システムに用いる映像再生端末における処理を記述したプログラムに関し、
当該映像再生端末が、映像受信部と、映像格納部と、映像関連情報入力部と、映像関連情報格納部と、映像関連情報送信部と、映像関連情報受信部と、映像関連情報表示部と、映像再生要求部と、映像再生部とを具備しているものであって、
前記プログラムが、
前記映像受信部の処理として前記映像配信サーバから配信される映像を受信する処理を実行し、
前記映像格納部の処理として受信した映像を格納する処理を実行し、
前記映像関連情報入力部の処理として、格納されている映像の中の任意のシーンに対して、端末利用者によって入力された感想やコメント等のテキスト形式の情報、及び関連する映像中のシーンのタイムコードを含む映像関連情報を付与する処理を実行し、
前記映像関連情報格納部の処理として前記付与された映像関連情報を格納する処理を実行し、
前記映像関連情報送信部の処理として前記格納された映像関連情報に対しての検索要求、あるいは、前記映像関連情報サーバに蓄えられている映像関連情報に対しての検索要求を通信回線を介して前記映像関連情報サーバに送信する処理を実行し、
前記映像関連情報受信部の処理として前記映像関連情報サーバに格納される映像関連情報の中から検索要求に合わせて検索した映像関連情報を通信回線を介して受信する処理を実行し、
前記映像関連情報表示部の処理として前記格納された映像関連情報を内容に応じて予め決められたレイアウトで表示する処理を実行し、
前記映像再生要求部の処理として前記表示された映像関連情報を指定し、指定された映像関連情報中のタイムコードを持つ格納されている映像に対して再生要求を出す処理を実行し、
前記映像再生部の処理として前記出された映像再生要求に基づき、要求された映像シーンから映像を頭だし再生する処理を実行する
データ処理装置が実行可能なプログラムである
ことを特徴とする映像再生端末における処理を記述したプログラム。
【請求項７】
通信回線を介して映像再生端末に映像を配信する映像配信サーバと、前記映像配信サーバから配信される映像に付随する情報を通信回線を介して映像再生端末に送信する映像関連情報サーバと、前記映像配信サーバ、及び前記映像関連情報サーバから配信される映像及び映像関連情報を受信する映像再生端末とがそれぞれ通信回線で接続された映像視聴システムに用いる映像再生端末における処理を記述したプログラムを記録した記録媒体に関し、
当該映像再生端末が、映像受信部と、映像格納部と、映像関連情報入力部と、映像関連情報格納部と、映像関連情報送信部と、映像関連情報受信部と、映像関連情報表示部と、映像再生要求部と、映像再生部とを具備しているものであって、
前記プログラムが、
前記映像受信部の処理として前記映像配信サーバから配信される映像を受信する処理を実行し、
前記映像格納部の処理として受信した映像を格納する処理を実行し、
前記映像関連情報入力部の処理として、格納されている映像の中の任意のシーンに対して、端末利用者によって入力された感想やコメント等のテキスト形式の情報、及び関連する映像中のシーンのタイムコードを含む映像関連情報を付与する処理を実行し、
前記映像関連情報格納部の処理として前記付与された映像関連情報を格納する処理を実行し、
前記映像関連情報送信部の処理として前記格納された映像関連情報に対しての検索要求、あるいは、前記映像関連情報サーバに蓄えられている映像関連情報に対しての検索要求を通信回線を介して前記映像関連情報サーバに送信する処理を実行し、
前記映像関連情報受信部の処理として前記映像関連情報サーバに格納される映像関連情報の中から検索要求に合わせて検索した映像関連情報を通信回線を介して受信する処理を実行し、
前記映像関連情報表示部の処理として前記格納された映像関連情報を内容に応じて予め決められたレイアウトで表示する処理を実行し、
前記映像再生要求部の処理として前記表示された映像関連情報を指定し、指定された映像関連情報中のタイムコードを持つ格納されている映像に対して再生要求を出す処理を実行し、
前記映像再生部の処理として前記出された映像再生要求に基づき、要求された映像シーンから映像を頭だし再生する処理を実行する
データ処理装置が実行可能なプログラムであって、
当該プログラムを記述しかつデータ処理装置が読出し可能な記録媒体である
ことを特徴とするプログラムを記録した記録媒体。
【発明の詳細な説明】
【０００１】
【発明の属する技術分野】
本発明は映像配信サーバから通信回線を介して配信される大量の映像を映像再生端末上に蓄積し、蓄積された映像の中から端末利用者が見たい映像を選択し、選択した映像をオンデマンドで再生させる機能を備えた映像視聴システム、および当該システムに用いられる映像再生端末、および当該映像再生端末における処理方法、および当該処理方法を実行するプログラム、および当該プログラムを記録した記録媒体に関するものである。
【０００２】
本発明では、特に、映像視聴システムにおける映像情報表示、映像再生、及び視聴者間のコミュニケーションに特徴を有する。
【０００３】
【従来の技術】
映像視聴者の自端末上に大量の映像データを蓄積し、その中から端末利用者が見たい映像を選択し、選択した映像をオンデマンドで再生させる映像再生方式を組み込んだ映像視聴システムとしては、従来、例えばソニー社製で「Ｃｌｉｐ−Ｏｎ」や「ＣｏＣｏ  ｏｎ」という製品名で一般に販売されている家庭向けのハードディスク内蔵型のビデオレコーダとして提案されている。
【０００４】
ハードディスク内蔵型のビデオレコーダにおける映像再生機能においては、ディジタル形式で映像を扱える特徴を利用した特殊な高速映像再生方式を実現している。具体的には、２倍速、４倍速等の映像データの規則的な間引き処理による「倍速再生」機能がある。倍速再生は、録画した映像を通常の再生時間よりも短い時間で視聴する際に使用したり、あるいは、放送中のテレビ番組の冒頭から実際に放送されているシーンまでを倍速再生しながらダイジェスト的に視聴し、実際の放送映像に追いつく「迫いつき再生」等、映像視聴を効率的に行うための機能として利用されている。また、ハードディスク内蔵型のビデオレコーダの機能としてはまだ実現されていないが、映像中のカット、テロップ、音楽の情報等のシーン情報を自動的に抽出し、抽出した結果からダイジェスト映像を作成する方法も提案されている。今後、倍速再生のほか「ダイジェスト再生」もハードディスクレコーダ上に実現されることが想定される。
【０００５】
また、見たいシーンを探すための映像情報表示機能としては、文字放送と同様の方式で放送される電子番組表の情報を映像再生端末の画面に表示して、見たいテレビ番組を選択する方法や、あるいは、蓄積した映像の中から自動的に取り出した複数の静止画像を映像再生端末の画面に一覧表示して、見たいシーンに対応する静止画像を選択する方法が従来提案されている。後者の方法における静止画像は例えば特許文献１で提案されているようなシーンの切り替わり等の情報を自動的に検出する方法を適用することで得ることができる。これにより、従来のアナログビデオレコーダに比べ、効率的に見たいシーンを探すことが可能となっている。
【０００６】
また、映像の内容について、映像視聴者同士でコミュニケーションを行う方法としては、これまでは複数の映像視聴者同士が同じ場所で直接会話を行ったり、互いに遠隔地にいる場合は、電話で会話したり、あるいはインターネット上の掲示板サービスやチャットサービスを使うことが挙げられる。
【０００７】
【特許文献１】
谷口他，「映像カツト点検出方法及び装置」特許第２８３９１３２号
【０００８】
【発明が解決しようとする課題】
しかしながら、前記の従来のハードディスク内蔵型のビデオレコーダ等で実現されている前記の特殊な高速映像再生機能、シーン検索用の映像情報表示機能、及び映像視聴者間のコミュニケーション方法には、以下のような問題点がある。
【０００９】
映像再生機能においては、倍速再生、ダイジェスト再生とも予め決められた方式で自動的に再生表示する映像中のシーン画像が選択されるものである。そのため、映像の意味内容によらず、規則的に映像が高速に再生され、映像視聴者は映像内容を正確に把握することができない場合がある。
【００１０】
例えば、ドラマ番組などでは、内容的にクライマックスで盛り上がりのあるシーンにおいては、高速に再生するのではなく、通常と同程度の再生速度での表示のほうが視聴者にとっては映像内容が理解し易い。逆に、ドラマ番組において、人物同士の会話が少なく、クライマックスに比ベ、重要ではないシーン等、ほとんど見なくても映像全体の意味を解釈する上では問題にならないようなシーンはより高速に再生しても良い場合もある。
【００１１】
従来の技術では、前述のように、「倍速再生」、「ダイジェスト再生」ともに映像内容の意味や重要度を反映した高速再生にはなっていないため、このようにシーン内容の重要度を反映したようないわゆる「意味的なダイジェスト再生」を実現できない、という問題点がある。これを第一の問題点とする。
【００１２】
また、視聴する映像を探すための映像情報表示機能についても同様に、電子番組表の中から見たいテレビ番組を探す方法、及び映像中から自動的に抽出した静止画を一覧して見たいシーンを探す方法も映像の意味内容に基づいた映像検索を行うことは困難である。電子番組表には番組タイトル、出演者といった情報の提供となっており、映像の内容を詳細に解説するところまでは実現されていない。
【００１３】
また、映像中からシーンの切り替わりの情報を自動的に抽出して、各シーンの先頭の画像を一覧用の画像として表示する方式も、シーンの重要性といった意味的な情報までは抽出できないため、前述のドラマ番組の例でいうと、どの画像がクライマックスのシーンなのかといった意味内容まで知ることはできない。これを第二の問題点とする。
【００１４】
また、映像視聴者間のコミュニケーション方法については、映像内容についてより詳細なコミュニケーションを行おうとした場合、従来の会話、掲示板、チャットのような方式では、実際の映像内容を視聴者同士が同時に参照することができないため、意志の疎通が困難となり、時間を要する。
【００１５】
例えば、ある視聴者がドラマ番組のあるシーンにおける登場人物のヘアスタイルについての感想を他の視聴者と交換したい場合は、従来の方法では、どの登場人物のどのようなシーンにおけるヘアスタイルが話題なのか意識を共有するまでに例えば、そのシーンのストーリーやおおよその放送時間についてなどの情報の意識を合わせる等して時間をかけてコミュニケーションを行う必要がある。これを第三の問題点とする。
【００１６】
本発明は以上の点を考慮してなされたもので、第一の問題点、第二の問題点、第三の問題点を解決することを目的としている。すなわち、映像を再生する際に、映像の意味内容が理解できないような倍速再生、ダイジェスト再生ではなく、映像の意味内容が理解でき、且つ通常の再生よりも時間をかけずに再生し、また、映像内容が理解できるようなシーンの画像一覧機能を備えた映像情報表示し、また、映像視聴者間のコミュニケーション方法についても映像内容について詳細な情報を交換する際に時間をかけずに意志疎通ができるようにすることを目的とする。
【００１７】
【課題を解決するための手段】
前記課題を解決するために本発明の映像視聴システムは、
通信回線を介して映像再生端末に映像を配信する映像配信サーバと、前記映像配信サーバから配信される映像に付随する情報を通信回線を介して映像再生端末に送信する映像関連情報サーバと、前記映像配信サーバ、及び前記映像関連情報サーバから配信される映像及び映像関連情報を受信する映像再生端末とがそれぞれ通信回線で接続された映像視聴システムにおいて、
前記映像関連情報サーバが
前記映像再生端末の１つまたは複数のものから配信される映像関連情報を受信して記憶登録しておき、
前記映像再生端末の１つから配信される検索条件に対応して、当該検索条件に見合う前記映像関連情報を、前記記憶登録した中から検索して、当該映像再生端末に、検索結果を送信する
よう構成されると共に、
前記映像再生端末が、
前記映像配信サーバから配信される映像を受信して格納しておき、
格納されている映像の中の任意のシーンに対して、端末利用者によって入力された感想やコメント等のテキスト形式の情報、及び関連する映像中のシーンのタイムコードを含む映像関連情報を付与して当該付与された映像関連情報を格納するよう構成され、
当該格納された映像関連情報に対しての検索要求、あるいは、前記映像関連情報サーバに蓄えられている映像関連情報に対しての検索要求を通信回線を介して前記映像関連情報サーバに送信すると共に、前記映像関連情報サーバに格納される映像関連情報の中から検索要求に合わせて検索した映像関連情報を通信回線を介して受信し、
前記格納された映像関連情報を内容に応じて予め決められたレイアウトで表示するよう構成され、
当該表示された映像関連情報を指定し、指定された映像関連情報中のタイムコードを持つ格納されている映像に対して再生要求を出力し、当該出力された映像再生要求に基づき、要求された映像シーンから映像を頭だし再生する
ことを特徴とする。
【００１８】
また当該映像視聴システムに用いる映像再生端末において、
通信回線を介して映像再生端末に映像を配信する映像配信サーバと前記映像配信サーバから配信される映像に付随する情報を通信回線を介して映像再生端末に送信する映像関連情報サーバと前記映像配信サーバ、及び前記映像関連情報サーバから配信される映像、及び映像関連情報を受信する映像再生端末とがそれぞれ通信回線で接続された映像視聴システムに用いる映像再生端末において、
前記映像再生端末が、
前記映像配信サーバから配信される映像を受信する映像受信部と、
前記映像受信部で受信した映像を格納する映像格納部と、
前記映像格納部で格納される映像の中の任意のシーンに対して、端末利用者によって入力された感想やコメント等のテキスト形式の情報、及び関連する映像中のシーンのタイムコードを含む映像関連情報を付与することができる映像関連情報入力部と、
前記映像関連情報入力部で付与された映像関連情報を格納する映像関連情報格納部と、
前記映像関連情報格納部に格納された映像関連情報、あるいは、前記映像関連情報サーバに蓄えられている映像関連情報に対しての検索要求を通信回線を介して前記映像関連情報サーバに送信する映像関連情報送信部と、
前記映像関連情報サーバに格納される映像関連情報の中から検索要求に合わせて検索した映像関連情報を通信回線を介して受信する映像関連情報受信部と、
前記映像関連情報格納部に格納された映像関連情報を内容に応じて予め決められたレイアウトで表示する映像関連情報表示部と、
前記映像関連情報表示部で表示された映像関連情報を指定し、指定された映像関連情報中のタイムコードを持つ前記映像格納部に格納される映像に対して再生要求をだす映像再生要求部と、
前記映像再生要求部からだされた映像再生要求に基づき、要求された映像シーンから映像を頭だし再生する映像再生部とを
具備することを特徴とする。
【００１９】
また、前記課題を解決するために本発明の映像視聴システムは前記映像関連情報表示部が、
映像関連情報に含まれるタイムコード情報と対応する映像中のフレーム画像、及びテキスト形式の情報を予め決められたレイアウトで一覧表示する
ことを特徴とする。
【００２０】
また、前記課題を解決するために本発明の映像視聴システムは前記映像再生要求部が、
前記映像関連情報表示部で表示される複数の映像シーンに関する映像関連情報に含まれる各タイムコード情報と対応する映像中の各シーンを予め決められた方法で連続的に再生するような再生要求を前記映像格納部に対して出力する
ことを特徴とする。
【００２１】
本発明の映像視聴システムでは請求項１，２記載のように映像視聴者が閲覧した映像中の任意のシーンに対して、感想やコメント等の情報とそのシーンに対応するタイムコード情報を入力する映像関連情報入力部を備えた映像再生端末と、映像再生端末に可能された映像関連情報を通信回線を介して受信し、格納する映像関連情報サーバが構成要素として存在する。この構成から複数の映像視聴者が同一の映像、例えば、テレビ番組等について、各自の感想やコメントを自分の映像再生端末に対して、一旦入力し、必要に応じて、入力した情報を通信回線を介して映像関連情報サーバに送信することができる。この場合、映像関連情報サーバには、同一の映像中のいろいろなシーンについて、複数の映像視聴者からの様々な感想やコメントなどが蓄えられることになる。また、同じく請求項１，２記載のように、映像再生端末では、映像関連情報サーバに蓄えられた映像関連情報を通信回線を介して受信する映像関連情報受信部を備える。すなわち、映像再生端末を利用する映像視聴者は、自分の映像再生端末に蓄えられており、これから視聴しようとする映像について、映像関連情報サーバに蓄えられた自分以外の複数の映像視聴者の感想やコメントを入手することができる。また、請求項１，２記載の映像関連情報表示部により、入手した他人の感想やコメント情報といったテキスト形式の情報を映像再生端末の画面に表示することで、映像内容の中でも他人の感想が多く寄せられているシーン等を把握することができる。一般に新聞の投稿欄などに寄せられるテレビ番組の感想情報は映像内容のストーリーの中でも意味的に重要なシーンであることが多いため、本発明によると、他人の感想情報を通信回線を介して映像視聴と同時に視聴対象の映像中の意味的に重要なシーンを把握することができる。
【００２２】
さらに、本発明の請求項３記載のように、映像関連情報に含まれるタイムコードと対応する映像中のフレーム画像も合わせて表示することで、画像情報とその内容に関する他人の感想の情報を一括して参照することができ、より映像の意味内容を詳細に理解することができる。このように映像関連情報として他人の感想やコメント、そのシーンの画像を表示することは、従来技術のように自動的に検出したシーンの切り替わり等の情報に比ベ、より映像の意味内容を反映した情報である。このことから、本発明によると、前記の第二の問題点を解決することが可能となる。
【００２３】
また、本発明の映像視聴システムでは請求項４記載のように映像関連情報に含まれるタイムコード情報と対応する映像中のシーンを連続的に再生することができる。すなわち、他人の感想やコメントが付与されたシーンだけを連続的に再生することができる。これは、映像中の意味的に重要なシーンだけを選択的に連続再生するということであり、従来技術のように映像の意味内容を反映していない規則的な倍速再生やシーンの切り替わりの情報に基づいた間引き再生方式に比べ、より映像の意味内容が理解でき、且つ、通常の再生よりも時間をかけずに再生することができる。このことから、本発明によると、前記の第一の問題点も解決することが可能である。
【００２４】
また、本発明の映像視聴システムでは請求項１，２，３，４に記載のように映像視聴者が視聴した映像についての感想等のコメント情報を通信回線を介して映像関連情報サーバに送信したり、また、映像関連情報サーバに蓄えられる大量のコメント情報の中から必要なコメント情報を検索して自端末に取り寄せることもできる。コメント情報の中には感想のようなテキスト情報に加え、画像情報も含まれるため、テキストの内容についての理解度が従来の掲示板やチャットのようなコミュニケーション方法による場合にくらべ早まる。このため、本発明によれば、従来の映像内容に関するコミュニケーション方法のように実際に行いたいコミュニケーションを行うまでに多くの時間を要する必要はなく短い時間で所望のコミュニケーションを円滑に行うことが可能となる。これにより、本発明によると、前記の第三の問題点も解決することが可能である。
【００２５】
【発明の実施の形態】
以下、本発明の実施例について図面を参照しながら説明する。
図１は本発明の第１実施例としての請求項１，２，３，４に記載の映像視聴システムの一例を示すシステム構成図である。図１において、映像配信サーバ１０１は、配信用の映像データを蓄えており、蓄えている映像データを通信回線を介して映像再生端末１０３に配信するサーバ装置であり、具体的には、放送局の放送用機器やワークステーション、パーソナルコンピュータといったコンピュータと映像配信用のソフトウェアを利用することで実現できる。
【００２６】
コンピュータで実現する場合には、映像配信用のソフトウェアとして、マイクロソフト社のＷｉｎｄｏｗｓＭｃｄｉａサーバを利用することが可能である。
【００２７】
配信形態としては、通常のテレビ放送のような予め作成された番組放送予定表に従って、映像をライブ配信するような形態や映像再生端末からの要求に応じて、要求にあった映像をその都度配信するオンデマンドの形態のいずれか一方、あるいは、両方あってもよい。
【００２８】
映像関連情報サーバ１０２は、映像配信サーバから配信される映像に付随する情報を通信回線を介して映像再生端末１０３に配信するサーバ装置であり、具体的にはワークステーションやパーソナルコンピュータといったコンピュータと映像関連情報の配信用のソフトウェアを利用することで実現できる。
【００２９】
本発明における映像に付随する情報とは、後述の実施例３でも詳細に述べるが、例えば、映像のタイトル、放送日時、視聴者の感想やコメント、といった映像に関わる何らかの情報のことを意味する。
【００３０】
映像関連情報サーバ１０２は、前述のようにこの映像関連情報を映像再生端末１０３に対して、配信するものであるが、同時に、複数の映像再生端末１０３から送られてくる映像関連情報を受取り、蓄えておく機能も有するものである。これらは専用のコンピュータソフトウェアで実現できる。
【００３１】
映像再生端末１０３は、映像配信サーバ１０１からの映像データや、映像関連情報サーバ１０２からの映像関連情報を受取り、端末内に一旦蓄積し、蓄積した映像データや映像関連情報を再生、表示する端末である。具体的には、ワークステーションやパーソナルコンピュータといったコンピュータ、及び専用のソフトウェアを利用することで実現できる。
【００３２】
さらには、映像再生端末の利用者が映像再生端末１０３を利用して視聴した映像に対して、前記の映像関連情報を入力する機能も有している。映像関連情報を入力する機能を利用して、入力された映像関連情報を映像関連情報サーバに送信する機能も有している。これも専用のソフトウェアを利用することで実現できる。
【００３３】
図１のように映像配信サーバ１０１と映像関連情報サーバ１０２と複数の映像再生端末１０３とが通信回線で結ばれることで、例えば、テレビ放送映像を映像配信サーバ１０１から配信し、それを不特定多数の映像視聴者が映像再生端末１０３を利用して視聴し、視聴した映像について、感想やコメントといった映像関連情報を入力し、映像関連情報サーバ１０２に送信すると、映像関連情報サーバ１０２では、テレビ番組について多くの視聴者の感想やコメント情報を一括して蓄えることができる。
【００３４】
映像再生端末１０３では、映像関連情報を送信する機能の他に、映像関連情報サーバ１０２に蓄えられた映像関連情報に対して検索要求を出す機能も備わっており、この機能により、映像再生端末１０３の利用者は自分以外の多くの映像視聴者からの感想やコメントを入手することが可能となり、これらの情報を利用することで、映像を視聴する際に必要に応じて短い時間で映像の意味内容を理解しなら、映像表示、再生を実行することが可能となる。
【００３５】
本発明の構成が最も効果を発揮する場合の一例として、テレビ放送映像を録画後、一定時間をおいてから再生する際に、すでにその放送映像を視聴した映像再生端末の利用者からの映像関連情報サーバに対して送られた感想やコメントを参照しながら、必要な映像シーンだけを再生しつつ短い時間で再生映像を見終えることができる、という場合がある。
【００３６】
図２は本発明の第２実施例としての請求項２，３，４記載の映像視聴システムにおける映像再生端末の構成の−例を表す図面である。
【００３７】
図２において、映像受信部２０１は、映像配信サーバから配信される映像を受信するものであり、具体的にはコンピュータ上のネットワークインタフェース機能、及びそれを制御するソフトウェアにより実現可能である。例えば、マイクロソフト社のＷｉｎｄｏｗｓＭｃｄｉａサーバ機能により配信される映像を受信する場合には、ＭＭＳと呼ばれる専用の通信プロトコルを解釈するソフトウェアが再生端末上で動作することで、映像の受信が可能である。
【００３８】
映像格納部２０２は、映像受信部２０１で受信した映像データを格納するものであり、例えば、コンピュータ上のハードデイスク、及びハードデイスク上のファイルを管理するソフトウェアを利用することで実現できる。
【００３９】
映像関連情報入力部２０３は、映像再生端末の利用者が前記映像格納部２０２で格納される映像の中の任意のシーンに対して感想やコメント等のテキスト形式の情報、及び関連する映像中のシーンのタイムコードを含む映像関連情報を入力することができるものであり、具体的にはコンピュータ上のソフトウェアにより実現できる。特にグラフィカルユーザインタフェースを伴うソフトウェアの画面の例を示したものが後述の実施例３にあたる。
【００４０】
映像関連情報格納部２０４は、前記映像関連情報入力部２０３で入力された映像関連情報を格納するものであり、例えば、コンピュータ上のハードデイスク、及びハードディスク上のファイルを管理するソフトウェアを利用することで実現できる。
【００４１】
映像関連情報送信部２０５は、前記映像関連情報格納部２０４に格納された映像関連情報、あるいは、前記映像関連情報サーバに蓄えられている映像関連情報に対しての検索要求を通信回線を介して前記映像関連情報サーバに送信するものであり、具体的には、コンピュータ上のネットワークインタフェース機能、及びそれを制御するソフトウェアを利用することで実現可能である。前記検索要求の具体例としては、後述の実施例４，５でも詳細に述べるが、例えば、テレビ番組について、「今週のおすすめシーンの一覧を検索せよ」というようなものがある。映像関連情報サーバ１０２は、この検索要求を受け取ると、サーバ上の映像関連情報の中から、要求内容に合致するものを映像再生端末１０３に送信する。
【００４２】
映像関連情報受信部２０６は、前記映像関連情報サーバに格納される映像関連情報の中から検索要求に合わせて検索された映像関連情報を通信回線を介して受信するものであり、具体的には、コンピュータ上のネットワークインタフェース機能、及びそれを制御するソフトウェアを利用することで実現可能である。
【００４３】
映像関連情報表示部２０７は、前記映像関連情報格納部２０４に格納された映像関連情報を内容に応じて予め決められたレイアウトで表示するものであり、具体的にはコンピュータ上のソフトウェアにより実現できる。特にグラフィカルユーザインタフェースを伴うソフトウェアの画面の例を示したものが後述の実施例４，５にあたる。
【００４４】
映像再生要求部２０８は、前記映像関連情報表示部２０７で表示された映像関連情報を指定し、指定された映像関連情報中のタイムコードを持つ前記映像格納部２０２に格納される映像に対して再生要求をだすものであり、具体的にはコンピュータ上のソフトウェアで実現可能である。このソフトウェアは映像データの形式にも依存するものであり、例えば、映像データがマイクロソフト社のＷｉｎｄｏｗｓＭｃｄｉａ形式の場合は、ＡＳＸと呼ばれるＸＭＬ形式のスクリプトにより記述されたテキストファイルを出力するような機能を備えたソフトウェアにより実現できる。前記テキストの内容としては、再生すべき映像データのファイル名と再生開始時刻、終了時刻の情報とが記述される。
【００４５】
映像再生部２０９は、前記映像再生要求部２０８からだされた映像再生要求に基づき、要求された映像シーンから映像を頭だし再生するものであり、具体的にはコンピュータ上の映像再生用のソフトウェアにより実現可能である。例えば、マイクロソフト社のＷｉｎｄｏｗｓＭｃｄｉａプレーヤにより実現可能である。
【００４６】
図３は本発明の第３実施例としての請求項２記載の映像関連情報入力部の一例を示す図面である。
【００４７】
３０１は映像関連情報入力機能を提供するコンピュータ上のグラフィカルユーザインタフェースを備えたソフトウェアの画面である。この画面の中に実際に映像関連情報を入力する機能が備わっている。以降、映像関連情報の入力機能の具体例を説明する。
【００４８】
３０２は感想やコメントといった映像関連情報を入力する対象となるシーンの画像が表示される箇所である。この画像情報は例えば、映像を再生中に画面を一時停止させる等の操作を行うことで獲得することができる。
【００４９】
３０３は映像関連情報を入力する対象のシーンに関わる基本的な情報が表示される箇所である。本実施例では、このシーンが含まれるテレビ番組のタイトル名として「○×先生」、番組が放送された日時として「○○年□□月△△日（月），ＰＭ９：００〜９：５４」、選択されたこのシーンが放送された具体的な時間として、「ＰＭ９：３４」というテキスト情報が表示されている。これらの情報は、映像再生端末の利用者が入力するのではなく、例えば、映像データと一緒に放送される電子番組表からコンピュータ上のソフトウェアを利用して自動的に取得できるものである。
【００５０】
３０４〜３０８は、実際に、３０２，３０３で表示されるテレビ番組中のシーンに対して映像再生端末の利用者自身が入力する映像関連情報を入力するためのユーザインタフェースの例である。３０４は「一口感想」であり、このシーンに対しての感想を一言で表した表現を入力するものである。具体的にはプルダウンリストの形で予め用意される一口感想用の選択肢の中から該当するものを選択するものであり、キーボード等の入力デバイスを使ってテキストを一文字ずつ入力する必要はないようなインタフェースデザインである。
【００５１】
３０５は「音声録音」であり、同じくこのシーンに対しての感想を音声として入力する機能である。このボタンを選択すると、音声録音用のソフトウェアが自動的に起動し、発話された内容をコンピュータ上にディジタイズしながら取り込んでデータとして保存する。
【００５２】
３０６は「関連コンテンツ」であり、シーンの内容に関連するコンピュータ上のファイルを関連付けるためのインタフェースである。図３では３０２の内容として、ドラマ番組中のバレーボールの試合のシーンを表している。この場合、３０６の「関連コンテンツ」へは、例えば、このシーンに出演している俳優のファンクラブのインターネット上のサイトアドレスが記述されたファイルなどが入力可能である。
【００５３】
３０７は「コメント」であり、シーンの内容に対しての感想やコメントをテキストで自由な文章として入力することを可能としたものである。前記３０４の「一口感想」や３０５「音声録音」の機能では表現できないような情報を詳細にテキストとして入力することが可能である。
【００５４】
３０８はこのシーンの「おすすめ度」であり、このシーンを他の人にすすめる場合の優先度を設定する機能をもつものである。図３の例では、「おすすめ度」の入力方法としてプルダウンリストの形で予め用意される「おすすめ度」用の選択肢の中から該当するものを選択するものである。
【００５５】
３０９は「キャンセル」ボタンであり、３０４〜３０８で入力された情報をクリアするものである。入力をやり直したい場合には有効である。
【００５６】
３１０は「保存」ボタンであり、３０４〜３０８で入力された情報をデータとして保存するものである。例えば、コンピュータ上のファイルとして保存できる。
【００５７】
３１１は「送信」ボタンであり、このボタンを押すことで、３０４〜３０８で入力された情報を映像関連情報サーバに送信されるものである。
【００５８】
映像関連情報サーバ１０２は、本実施例のような具体例で示される映像関連情報を不特定多数の映像再生端末１０３から受け取り、蓄えて、映像再生端末からの検索要求に合わせて、検索結果を映像再生端末１０３に送信する。以降の実施例４，５では映像再生端末から映像関連情報サーバへの具体的な検索要求やその結果として映像再生端末に表示される画面の一例を説明する。
【００５９】
図４は本発明の第４実施例としての請求項２，３記載の映像視聴システムにおける映像関連情報表示部の一例を示す図面である。図４は、映像再生端末１０３から映像関連情報サーバ１０２に対して、「○月×日（月）ＰＭ８：００から△△テレビで放送されたドラマ番組「○○先生」に対して寄せられた感想やコメントの一覧を返却せよ」といった内容の映像関連情報の検索要求が送信され、その結果として映像関連情報サーバ１０２から映像再生端末１０３に返却された情報を元に映像再生端末１０３の映像関連情報表示部２０７で表示される画面を想定したものである。
【００６０】
４０１は、映像関連情報として、検索要求の映像タイトル名と同様のもの「○月×日（月）ＰＭ８：００〜ドラマ「○○先生」（△△テレビ）」を検索結果の見出しの情報として表示したものである。
【００６１】
４０２は、同じく検索結果の映像関連情報として、番組内のシーンを表す画像とシーンの放送時刻、そして、シーンに対して他の映像視聴者が入力した感想やコメントを一覧表示したものである。
【００６２】
この画面を参照するだけで、映像関連情報サーバに感想が寄せられているシーンを一覧することができ、ドラマ番組のストーリー等の意味情報を把握することが可能となる。例えば、図４中の４０２「シーン１」では野球の試合のシーンで完全試合になるかどうかがかかった緊迫したシーンであることがこの画面を見るだけで簡単に把握できる。
【００６３】
また、例えば、図４の画面中のあるシーンの画像を選択すると、そのシーンから映像を頭だしして再生するような再生要求を出すことで、簡単に見たいシーンからの映像再生が実現できる。
【００６４】
さらには、図４のように映像関連情報サーバにダウンロードされた他人の感想に対して、前記実施例３のようなコメント入力インタフェースを利用して、返事を送信することで、他人とのコミュニケーション機能を実現することができる。
【００６５】
図５は本発明の第５実施例としての前記の第４実施例と同様、請求項２，３記載の映像視聴システムにおける映像関連情報表示部の一例を示す図面である。図５は、映像再生端末１０３から映像関連情報サーバ１０２に対して、「今週のスポーツ関連のテレビ番組の中のおすすめのシーンを返却せよ」といった内容の映像関連情報の検索要求が送信され、その結果として映像関連情報サーバ１０２から映像再生端末１０３に返却された情報を元に映像再生端末１０３の映像関連情報表示部２０７で表示される画面を想定したものである。
【００６６】
５０１は、映像関連情報として、検索要求の内容と同様の「今週のおすすめシーン（スポーツ編）」というテキスト情報を検索結果の見出しの情報として表示したものである。
【００６７】
５０２は、同じく検索結果の映像関連情報として、該当する週に放送されたスポーツ番組の中のおすすめのシーンを表す画像とシーンの放送時刻、そして、シーンに対して他の映像視聴者が入力した感想やコメントを一覧表示したものである。
【００６８】
この画面を参照するだけで、いちいち全てのスポーツ番組を全て視聴することなく、スポーツ番組の中のおすすめのシーンだけを一覧することができる。例えば、図５中の５０２では「３月３日（月）に放送されたプロ野球中継の中で、ルーキーの○○投手の初登板での第一球目を投げるシーン」という注目のシーンを簡単に把握することができる。
【００６９】
なお、この「おすすめ情報」は、例えば、前記の実施例３で説明した映像関連情報入力部の画面の中の「おすすめ度」情報の入力を行い、映像関連情報サーバ１０２に送信することで、映像関連情報サーバに蓄えることが可能となる。
【００７０】
また、実施例４と同じく、例えば、図５の画面中のあるシーンの画像を選択すると、そのシーンから映像を頭だしして再生するような再生要求を出すことで、簡単に見たいシーンからの映像再生が実現できる。
【００７１】
図６は本発明の第６実施例としての請求項２，４記載の映像視聴システムにおける映像再生要求部と映像再生部とで行われる処理内容の一例を説明するための図面である。
【００７２】
６０１は映像再生要求部２０８から映像再生部２０９に送られる映像再生要求の内容の一部を表形式で表したものである。６０１はある前述の実施例４で説明したドラマ映像「○○先生」の中のシーン１からシーン６までの部分映像を連続的に再生せよ、という命令を想定したものである。６０１に記載のようにシーンの番号と各シーンの時間区間の情報とのペアが６つ指定されたもの、及び、再生対象の映像名「○○先生」、また、放送日時の情報を一緒に、合わせて映像再生要求として映像再生部に送る。各シーンの映像再生の時間区間の情報は、前記の映像関連情報入力部２０３で入力しても良いし、映像関連情報入力部２０３では、時間区間ではなく、例えば、ある時間１つだけを入力し、後で自動でその時間の前後の数秒をとって、各シーンの区間を設定しても良い。６０１では、各シーンの区間として１分となるような設定が施された例を示している。
【００７３】
６０２は、６０１の再生要求情報に基づいて、映像再生部から表示される映像の例を示したものである。最初に再生されるシーン１の映像を表示したものである。シーン１の再生区間の再生が終ると、すぐにシーン２の再生が行われ、シーン６まで連続して再生される。これにより、映像内容の意味内容を損なわず、通常の映像再生時間よりも短い時間で映像視聴を行うことが可能となる。
【００７４】
図７は本発明の第７実施例としての請求項２，３，４記載の映像視聴システムにおける映像再生端末の全体画面表示の一例を示した図面である。
【００７５】
７０１は再生される映像を表示する部分である。映像再生端末１０３上の映像格納部２０２に蓄積された映像が再生要求の内容に従って再生表示される。例えば、７０１の中の映像の一時停止ボタンを押すことで、実施例３に記載の映像関連情報入力用の画面（図３参照）が表示され、一時停止したシーンに対しての感想やコメント情報といった映像関連情報を入力することもできる。
【００７６】
７０２は、映像関連情報サーバ１０２から送信されたり、あるいは、映像再生端末利用者が自ら投入するなどして映像関連情報格納部２０４に蓄えられた映像関連情報が表示される部分である。図７の７０２は例として「今週のおすすめシーン」が表示されたものである。野球中継、バレーボール、ボブスレーの番組のおすすめシーンが表示されている。例えば、７０２の中で並んでいる画像の一つを選択すると、そのシーンから始まる映像が７０１の映像再生部で再生表示されたり、あるいは、７０２で表示される画像一覧中の複数のシーンが７０１の映像再生部で連続再生される。
【００７７】
７０３は、映像再生端末１０３から映像関連情報サーバ１０２に対しての映像関連情報の検索要求を入力する画面の一例である。図７の７０３は「おすすめ情報サーチ」という表示の下に検索項目として「番組名」や「ジャンル」をテキスト形式で入力し、「検索」ボタンを押すようなものである。これらの他に、感想別の検索キーとして例えば、「今週の面白いシーン」「今週の悲しいシーン」といったものを指定してもよい。
【００７８】
図８は本発明の第８実施例としての請求項２，３，４記載の映像視聴システムにおける映像関連情報の登録処理、及び映像関連情報の検索処理のタイミングフローチャートである。
【００７９】
図８は、映像再生端末Ａから映像関連情報サーバに対して映像関連情報を登録するフロー、及び映像関連情報に蓄積される大量の映像関連情報の中から映像再生端末Ａとは異なる映像再生端末Ｂが所望の映像関連情報を検索するフローの両方を示したものである。
【００８０】
Ｓ１０１では、映像再生端末Ａ上で映像視聴者が視聴した映像に関する感想やコメント等の映像関連情報を入力し、Ｓ１０２に進む。映像関連情報の入力方法の例としては、前記の実施例３（図３参照）に示したようなパーソナルコンピュータ上のグラフィカルユーザインタフェースを備えたソフトウェアを用いることで可能である。
【００８１】
Ｓ１０２では、映像再生端末Ａ上で入力された映像関連情報を映像関連情報サーバに送信するために両者の間での通信接続を確立し、Ｓ１０３に進む。
【００８２】
Ｓ１０３では、映像再生端末Ａから映像関連情報サーバに映像関連情報が送信され、Ｓ１０４に進む。
【００８３】
Ｓ１０４では、映像関連情報サーバにおいて、映像再生端末Ａから映像関連情報を受信する。Ｓ１０２，Ｓ１０３，Ｓ１０４とも例えば、パーソナルコンピュータ上でＴＣＰ／ＩＰ等の特定の通信プロトコルで他のコンピュータと通信が可能なソフトウェアを利用することで実現可能である。
【００８４】
Ｓ１０５では、映像関連情報サーバにおいて、映像再生端末Ａから受信した映像関連情報を映像関連情報サーバ内のデータベースに登録する。データベースは例えばＯｒａｃｌｅ社製の市販データベースを利用することで実現可能である。
【００８５】
Ｓ１０１〜Ｓ１０５までが映像再生端末Ａから映像関連情報サーバに映像関連情報が登録される処理の流れである。Ｓ１０６以降は映像関連情報サーバに蓄積される大量の映像関連情報に対して、映像再生端末Ｂから特定の映像関連情報を検索し、検索結果を表示するまでの流れを示したものである。
【００８６】
Ｓ１０６では、映像再生端末Ｂで検索条件を入力し、Ｓ１０７に進む。映像再生端末上で映像関連情報サーバへの映像関連情報の検索条件を入力する方法としては、前記の実施例７に記載した図７の７０３の検索要求を入力する画面を持つようなパーソナルコンピュータ上のソフトウェアを利用することで実現可能である。
【００８７】
Ｓ１０７では、映像再生端末Ｂで入力された映像検索条件を映像関連情報サーバに送信するために、両者の間で通信接続を確立し、Ｓ１０８に進む。
【００８８】
Ｓ１０８では、映像再生端末Ｂから映像関連情報サーバに対し、映像関連情報の検索条件を送信し、Ｓ１０９に進む。
【００８９】
Ｓ１０９では、映像関連情報サーバにおいて、映像再生端末から映像関連情報の検索条件を受信し、Ｓ１１０に進む。Ｓ１０７，Ｓ１０８，Ｓ１０９とも例えば、パーソナルコンピュータ上でＴＣＰ／ＩＰ等の特定の通信プロトコルで他のコンピュータと通信が可能なソフトウェアを利用することで実現可能である。
【００９０】
Ｓ１１０では、映像関連情報サーバで映像再生端末Ｂから映像関連情報の検索条件に基づき、映像関連情報サーバ内のデータベースの中の映像関連情報を検索し、Ｓ１１１に進む。データベースの検索はＯｒａｃｌｅ社製の市販のデータベースに備わっている機能を利用することで実現可能である。
【００９１】
Ｓ１１１では、映像関連情報サーバでデータベースを検索して得られた結果を映像再生端末Ｂに送信するために、両者の間で通信接続を確立し、Ｓ１１２に進む。
【００９２】
Ｓ１１２では、映像関連情報サーバから映像再生端末Ｂに対し、Ｓ１１０で行われた映像関連情報の検索結果を送信し、Ｓ１１３に進む。
【００９３】
Ｓ１１３では、映像再生端末Ｂにおいて、映像関連情報サーバから映像関連情報の検索結果を受信し、Ｓ１１４に進む。Ｓ１１１，Ｓ１１２，Ｓ１１３とも例えば、パーソナルコンピュータ上でＴＣＰ／ＩＰ等の特定の通信プロトコルで他のコンピュータと通信が可能なソフトウェアを利用することで実現可能である。
【００９４】
Ｓ１１４では、映像再生端末Ｂにおいて、映像関連情報サーバから受信した映像関連情報の検索結果を表示する。映像関連情報の検索結果の具体的な表示例としては、前記の実施例４あるいは実施例５に記載した図４，図５のような画面を表示するグラフィカルユーザインタフェースを備えたパーソナルコンピュータ上のソフトウェアを利用することで実現可能である。
【００９５】
また、本実施例における映像再生端末Ａと映像再生端末Ｂは必ずしも別々の端未でなくとも良い。ある映像再生端末は映像関連情報サーバへの映像関連情報の登録もでき、且つ、映像関連情報サーバ上の映像関連情報を検索することもできる。
【００９６】
【発明の効果】
以上の説明の通り、本発明によれば、映像配信サーバから受信した映像を映像再生端末で視聴する際に、映像関連情報サーバに蓄えられる映像に関しての他人の感想やコメントといった映像関連情報を同時に参照することが可能となる。これにより、従来の技術では実現できなかった他人のコメント等の情報を含む映像の意味情報を把握しながらの映像の短時間再生や意味的に重要な静止画像の一覧表示による映像内容の確認が可能になるという効果が得られる。
【００９７】
更には、テレビ放送映像に本発明の映像視聴システムを適用する場合には、視聴者はテレビ番組についての感想等の情報を参照しながら、番組視聴を行うことができる。放送中の映像関連情報をリアルタイムに取得することで、ある放送映像を視聴中に複数の裏番組の関連情報を取得することもできる。従来は番組表での番組タイトル、代表的な出演者といった情報レベルでしか複数の番組の情報を入手できなかったり、あるいは番組映像を同時に視聴するのも２チャンネル程度が限界であった。本発明によれば、前記のとおり、同時に２チャンネル以上の複数の番組の内容に関する詳細な情報を番組放送中にリアルタイムに取得することができるため、従来よりも視聴者が見たい番組を選択しやすくなるという効果をもたらすことが可能となる。
【００９８】
また、本発明のように放送番組に関連情報を付加して提供することは、テレビ放送局にとっては、通常のテレビ放送に対して付加サービスを提供することが可能となり、番組の視聴率向上が期待できる。本発明によると、テレビ放送局に対してのメリットも提供できる。このメリットは映像視聴者から得られる番組の感想情報を流通させることで得られるものである。感想情報は基本的には映像再生端末と映像関連情報サーバが存在すれば流通させることができ、これらは必ずしもテレビ放送局がシステムを提供しなくともよい。すなわち、本発明によると、テレビ放送局自身は多くのコストをかけずに番組視聴率の向上を見込むことができる、という効果が得られる。
【図面の簡単な説明】
【図１】本発明の第１実施例としての請求項１，２，３，４に記載の映像視聴システムの一例を示すシステム構成図である。
【図２】本発明の第２実施例としての請求項２，３，４に記載の映像視聴システムにおける映像再生端末の構成の一例を表す図面である。
【図３】本発明の第３実施例としての請求項２記載の映像関連情報入力部の一例を示す図面である。
【図４】本発明の第４実施例としての請求項２，３記載の映像視聴システムにおける映像関連情報表示部の一例を示す図面である。
【図５】本発明の第５実施例としての請求項２，３記載の映像視聴システムにおける映像関連情報表示部の一例を示す図面である。
【図６】本発明の第６実施例としての請求項２，４記載の映像視聴システムにおける映像再生要求部と映像再生部で行われる処理内容の一例を説明するための図面である。
【図７】本発明の第７実施例としての請求項２，３，４に記載の映像視聴システムにおける映像再生端末の全体画面表示の一例を示した図面である。
【図８】本発明の第８実施例としての請求項１，２，３，４に記載の映像視聴システムにおける映像関連情報の登録処理、及び映像関連情報の検索処理のタイミングフローチャートである。
【符号の説明】
１０１：映像配信サーバ
１０２：映像関連情報サーバ
１０３：映像再生端末
２０１：映像受信部
２０２；映像格納部
２０３：映像関連情報入力部
２０４：映像関連情報格納部
２０５：映像関連情報送信部
２０６：映像関連情報受信部
２０７：映像関連情報表示部
２０８：映像再生要求部
２０９：映像再生部
【図１】
2004350092.tif 000003
【図２】
2004350092.tif 000004
【図３】
2004350092.tif 000005
【図４】
2004350092.tif 000006
【図５】
2004350092.tif 000007
【図６】
2004350092.tif 000008
【図７】
2004350092.tif 000009
【図８】
2004350092.tif 000010